(57)【要約】【課題】簡単な構成でディスクのターンテーブルへの搬送、装填を確実に行うことができるディスク再生装置を提供する。【解決手段】筐体１３内のディスクを記録位置または再生位置まで往復移送可能なトレイ１と、ターンテーブル４とを備え、ディスクの記録および再生を行うディスク回転駆動手段を有するディスクローディング機構２０を備えたディスク再生装置３０であり、トレイ１はディスクの大きさに応じて移送位置を決めるロック溝１ａ、１ｂを備え、ディスクローディング機構２０は、トレイ１の位置決めをするロックレバー３と、ディスク回転駆動手段を移動させロックレバー３を動作させるカムギア２とを備え、カムギア２によりディスク回転駆動手段を移動するとともにカムギア２と連動してロックレバー３がトレイ１のロック溝１ａ、１ｂの何れかに係合するように動作するものとする。【選択図】        図１
2004348875.tif 000002
【特許請求の範囲】
【請求項１】
筐体内のディスクの記録位置または再生位置までディスクを往復移送可能なトレイと、ディスクを回転させるターンテーブルとを備え、ディスクの記録および再生のうちの少なくとも一方の動作を行うディスク回転駆動手段を有するディスクローディング機構を備えたディスク再生装置であって、
前記トレイは、ディスクの大きさに応じて該ディスクの移送位置を決める複数の位置決め部を備え、
前記ディスクローディング機構は、前記トレイの動作を規制してトレイの位置決めをするロック手段と、前記ディスク回転駆動手段を移動させるとともに前記ロック手段を動作させるカムギアとを備え、
前記カムギアの回転により、ディスク回転駆動手段を移動するとともに、該カムギアと連動してロック手段がトレイの位置決め部に係合するように動作することを特徴とするディスク再生装置。
【請求項２】
前記ロック手段は、前記トレイの係止部と係合する爪部と、前記カムギアに形成されたカム部に追従するフォロア部とを備え、
前記カムギアは、前記ディスク回転駆動手段を動作するカム部と、前記ロック手段を駆動するカム部とを備えたことを特徴とする請求項１に記載のディスク再生装置。
【発明の詳細な説明】
【０００１】
【発明の属する技術分野】
本発明は、ディスク再生装置に関し、特に、光ディスク等のディスク状媒体を駆動装置にローディングする為のディスクローディング機構を備えたディスク再生装置に関するものである。
【０００２】
【従来の技術】
従来のディスク再生装置は、一般に、８ｃｍと１２ｃｍのディスクに対応できるようにされており、例えば、ディスクを移送するトレイに複数の略円形の凹部を設けて、ディスクのサイズに応じて保持可能に構成されている（特許文献１を参照）。
【０００３】
また、ディスクを搬送するためのディスクローディング機構としては、トレイを途中で止めることなく、トレイが最終位置に移動した際にのみロックを行う機構が一般に知られている。このロック機構は、トレイの動きに応じて動作するようにされている。
【０００４】
【特許文献１】
特開２０００−２１０５６号公報（第２−６頁、第１図）
【０００５】
【発明が解決しようとする課題】
しかしながら、トレイはディスクを載せた状態で移動するため、特許文献１に記載されるようにトレイのディスク設置部を凹状に形成しても、ディスクが搬送時にずれてしまうことがあるという問題点があった。
【０００６】
本発明は、上記従来の問題点に鑑みてなされたものであり、簡単な構成でディスクのターンテーブルへの搬送、装填を確実に行うことができるディスク再生装置を提供することを目的とするものである。
【０００７】
【課題を解決するための手段】
本発明は、ディスク再生装置に係り、筐体内のディスクの記録位置または再生位置までディスクを往復移送可能なトレイと、ディスクを回転させるターンテーブルとを備え、ディスクの記録および再生のうちの少なくとも一方の動作を行うディスク回転駆動手段を有するディスクローディング機構を備えたディスク再生装置であって、前記トレイは、ディスクの大きさに応じて該ディスクの移送位置を決める複数の位置決め部を備え、前記ディスクローディング機構は、前記トレイの動作を規制してトレイの位置決めをするロック手段と、前記ディスク回転駆動手段を移動させるとともに前記ロック手段を動作させるカムギアとを備え、前記カムギアの回転により、ディスク回転駆動手段を移動するとともに、該カムギアと連動してロック手段がトレイの位置決め部に係合するように動作することを特徴とするものである。
【０００８】
このように構成することで、トレイを移動の途中でディスクの大きさに応じた位置で停止させ、ロック手段によりトレイを確実に固定することができるので、ターンテーブルによりディスクを拾い上げる際の振動や他の条件下においても、ターンテーブルによりディスクを拾い上げる間、トレイが動くことなく確実にディスクを拾い上げることができる。
【０００９】
また、本発明は、前記ロック手段の構成として、前記トレイの係止部と係合する爪部と、前記カムギアに形成されたカム部に追従するフォロア部とを備え、前記カムギアの構成として、前記ディスク回転駆動手段を動作するカム部と、前記ロック手段を駆動するカム部とを備えることが好ましい。
【００１０】
このように、ディスク回転駆動手段を動作するカム部と、前記ロック手段を駆動するカム部とを備えることで、新たに駆動源を設けることなく、ディスク回転駆動手段とロック手段の動作を確実に連動させることができる。さらに、ロック手段の爪部によりトレイを確実に固定することができる。
【００１１】
【発明の実施の形態】
以下、本発明の実施の形態について図面を参照して詳細に説明する。
図１〜図１０は発明を実施する形態の一例であって、図１は本発明の実施形態に係るディスク再生装置のディスクローディング機構の全体構成を示す説明図、図２は前記ディスク再生装置のトレイに小径ディスクが装填された状態を示す説明図、図３は前記ディスク再生装置のトレイに大径ディスクが装填された状態を示す説明図、図４の（ａ）は本発明の実施形態に係るディスク再生装置のディスクローディング機構の構成を示す平面図、（ｂ）は前記ディスクローディング機構を構成するロックレバーとその周辺の構成を示す部分詳細図、図５の（ａ）は前記ディスクローディング機構を構成するトレイに小径ディスクが装填される位置を示す説明図、（ｂ）は前記ロックレバーとその周辺の構成を示す部分詳細図、図６の（ａ）は前記トレイに大径ディスクが装填される位置を示す説明図、（ｂ）は前記ロックレバーとその周辺の構成を示す部分詳細図、図７は前記ディスクローディング機構を構成するカムギアの構成を示す斜視図、図８は前記ロック手段の構成を示す斜視図、図９は前記トレイの構成を示す斜視図、図１０は前記カムギアとロック手段のカムを介した動作を示す説明図である。
【００１２】
本実施形態は、図１、図２および図３に示すように、本体部を構成する矩形状の筐体１３内部に、主にトレイ１、カムギア２、ロック手段としてのロックレバー３、およびターンテーブル４等を備えたディスクローディング機構２０が構成されたディスク再生装置３０である。
【００１３】
前記トレイ１は、図２、図３に示すように、小径ディスク１１と大径ディスク１２の両方のメディアが装着可能に構成され、駆動用モータ６により減速ギア７を介して後記ラック１ｃを移動することで、ディスクを記録位置または再生位置まで往復移動するようにされている。
【００１４】
このトレイ１は、図４の（ａ）、（ｂ）に示すディスク再生位置、図５の（ａ）、（ｂ）に示す小径ディスク１１のチャッキング位置、および図６の（ａ）、（ｂ）に示す大径ディスク１２のチャッキング位置、という３段階のポジションをもっており、これらの位置は別途設けられたスイッチ８、スイッチ９等によって制御されている。
【００１５】
また、前記トレイ１は、図９に示すように、裏側にトレイ１の移動方向に沿って直線的にラック１ｃが設けられるとともに、該ラック１ｃと略平行して略Ｖ字形状のロック溝１ａ、１ｂが設けられている。
前記ロック溝１ａは小径ディスク１１を拾い上げる位置に合わせて設けられ、一方、前記ロック溝１ｂは大径ディスク１２を拾い上げる位置に合わせて設けられている。
【００１６】
前記カムギア２は、図１、図７に示すように、駆動用モータ５に近接して配設され、略円筒状を呈している。該カムギア２の一端側にはギア部２ａが形成され、駆動用モータ５により減速ギア１４を介して電気的駆動において正逆転回転するようにされている。その回転制御は、スイッチ１０により制御される。また、他端側には後記するロックレバー３のカムフォロアピン３ｂが係合される溝カム２ｂが形成されている。さらに、該カムギア２の一端側と他端側の間の外周に沿った側部には、ターンテーブル４を回転するための外周カム２ｃが円周方向に沿って連続的に凹んで形成されている。
【００１７】
前記ロックレバー３は、図８に示すように、前記カムギア２に近接して配置され、平面視で略乙字形状を呈している。その一端部には略Ｖ字形状に突出したロック部３ａが形成されている。前記ロック部３ａは、所定位置で前記トレイ１に設けられたロック溝１ａ、１ｂに噛み合うように設けられている。
【００１８】
また、ロックレバー３の他端部の一部が前記カムギア２に設けられた溝カム２ｂと重なるように配設されるとともに、その溝カム２ｂに対向してカムフォロアピン３ｂが突出形成されている。前記カムフォロアピン３ｂは、溝カム２ｂに摺動可能に嵌装されて追従するようにされている。
また、レバー本体の略中央部には軸支部３ｃが形成され、該軸支部３ｃを中心に該ロックレバー３が回動可能に設けられている。
【００１９】
次に、本実施形態のディスク再生装置３０のディスクローディング機構２０によるディスク操作について図面を参照して説明する。
ディスク再生装置３０に小径ディスク１１を装填する場合は、図２および図５の（ａ）、（ｂ）に示すような状態で小径ディスク１１が装填される。
【００２０】
ここで、カムギア２およびロックレバー３の位置関係と動作を図１０に示す。
図中の（１）のカムギア２およびロックレバー３の位置は、ターンテーブル４が降りた状態を示す。
（１）から（２）、（３）に亘りカムギア２が回転すると、該カムギア２の溝カム２ｂに沿ってロックレバー３のカムフォロアピン３ｂが追従して、ロックレバー３が回動する。そして、（３）の位置でロック部３ａがトレイ１に設けられたロック溝１ａに嵌合されてロック状態となる。
【００２１】
（３）から（５）の位置までカムギア２が回転すると、ターンテーブル４が持ち上げられて小径ディスク１１がチャッキング状態となる。
そして、（５）から（６）の位置までカムギア２が回転すると、ロックレバー３のロック部３ａがロック溝１ａから解除され、（７）の位置でディスクチャッキングが完了する。
【００２２】
次に、ディスク再生装置３０に大径ディスク１２を装填する場合は、図３および図６の（ａ）、（ｂ）に示すような状態で小径ディスク１１が装填される。
カムギア２およびロックレバー３の動作と位置関係は、前述した小径ディスク１１の場合と同様に、図１０に示す通りである。
【００２３】
図中の（１）のカムギア２およびロックレバー３の位置は、ターンテーブル４が降りた状態を示す。
（１）から（２）、（３）に亘りカムギア２が矢印方向（図中で反時計回り方向）に回転すると、該カムギア２の溝カム２ｂに沿ってロックレバー３のカムフォロアピン３ｂが追従して、ロックレバー３が回動する。そして、（３）の位置でロック部３ａがトレイ１に設けられたロック溝１ｂに嵌合されてロック状態となる。
【００２４】
（３）から（５）の位置までカムギア２が矢印方向に回転すると、ターンテーブル４が持ち上げられて大径ディスク１２がチャッキング状態となる。
そして、（５）から（６）の位置までカムギア２が回転すると、ロックレバー３のロック部３ａがロック溝１ｂから解除され、（７）の位置でディスクチャッキングが完了する。
【００２５】
以上のよう構成したので、本実施形態によれば、ロックレバー３によりトレイ１を動作中に固定することができるので、連続動作でもディスクを確実にチャッキングすることができる。
【００２６】
また、カムギア２を回転させることで、外周カム２ｃによりターンテーブル４を回転させるとともに、溝カム２ｂによりロックレバー３を動作させることが可能になる。すなわち、一つの駆動源でターンテーブル４とロックレバー３のふたつの機構を動作させることができる。
【００２７】
さらに、カムギア２の回転に伴い回転する溝カム２ｂの形状に沿ってカムフォロアピン３ｂを追従するようにしたので、確実にロックレバー３を動作させることができる。
【００２８】
このようにして、本実施形態によれば、簡易な構造で、記録又は再生中にディスクを挿入しようとする誤挿入を防止することのできる機構を実現できる。
【００２９】
尚、本発明は、上述の図示例にのみ限定されるものではなく、本発明の要旨を逸脱しない範囲内において種々変更を加え得ることは勿論である。
【００３０】
【発明の効果】
以上、説明したように本発明のディスク再生装置によれば、簡単な構成でディスクのターンテーブルへの搬送、装填を確実に行うことで、誤挿入を防止することができるという優れた効果を奏し得る。
詳しくは、筐体内のディスクの記録位置または再生位置までディスクを往復移送可能なトレイと、ディスクを回転させるターンテーブルとを備え、ディスクの記録および再生のうちの少なくとも一方の動作を行うディスク回転駆動手段を有するディスクローディング機構を備えたディスク再生装置であって、前記トレイを、ディスクの大きさに応じて該ディスクの移送位置を決める複数の位置決め部を備え、前記ディスクローディング機構として、前記トレイの動作を規制してトレイの位置決めをするロック手段と、前記ディスク回転駆動手段を移動させるとともに前記ロック手段を動作させるカムギアとを備え、前記カムギアの回転により、ディスク回転駆動手段を移動するとともに、該カムギアと連動してロック手段がトレイの位置決め部に係合するようにすることで、トレイを移動の途中でディスクの大きさに応じた位置で停止させ、ロック手段によりトレイを確実に固定することができ、ターンテーブルによりディスクを拾い上げる際の振動や他の条件下においても、ターンテーブルによりディスクを拾い上げる間、トレイが動くことなく確実にディスクを拾い上げることができる。
【００３１】
また、本発明は、前記ロック手段の構成として、前記トレイの係止部と係合する爪部と、前記カムギアに形成されたカム部に追従するフォロア部とを備え、前記カムギアの構成として、前記ディスク回転駆動手段を動作するカム部と、前記ロック手段を駆動するカム部とを備えることで、新たに駆動源を設けることなく、ディスク回転駆動手段とロック手段の動作を確実に連動させることができる。さらに、ロック手段の爪部によりトレイを確実に固定することができるという優れた効果を奏し得る。
【図面の簡単な説明】
【図１】本発明の実施形態に係るディスク再生装置のディスクローディング機構の全体構成を示す説明図である。
【図２】前記ディスク再生装置のトレイに小径ディスクが装填された状態を示す説明図である。
【図３】前記ディスク再生装置のトレイに大径ディスクが装填された状態を示す説明図である。
【図４】（ａ）は本発明の実施形態に係るディスク再生装置のディスクローディング機構の構成を示す平面図、（ｂ）は前記ディスクローディング機構を構成するロックレバーとその周辺の構成を示す部分詳細図である。
【図５】（ａ）は前記ディスクローディング機構を構成するトレイに小径ディスクが装填される位置を示す説明図、（ｂ）は前記ロックレバーとその周辺の構成を示す部分詳細図である。
【図６】（ａ）は前記トレイに大径ディスクが装填される位置を示す説明図、（ｂ）は前記ロックレバーとその周辺の構成を示す部分詳細図である。
【図７】前記ディスクローディング機構を構成するカムギアの構成を示す斜視図である。
【図８】前記ロックレバーの構成を示す斜視図である。
【図９】前記トレイの構成を示す斜視図である。
【図１０】前記カムギアとロック手段のカムを介した動作を示す説明図である。
【符号の説明】
１  トレイ
１ａ  ロック溝
１ｂ  ロック溝
１ｃ  ラック
２  カムギア
２ａ  ギア部
２ｂ  溝カム
２ｃ  外周カム
３  ロックレバー
３ａ  ロック部
３ｂ  カムフォロアピン
３ｃ  軸支部
４  ターンテーブル
１１  小径ディスク
１２  大径ディスク
２０  ディスクローディング機構
３０  ディスク再生装置
【図１】
2004348875.tif 000003
【図２】
2004348875.tif 000004
【図３】
2004348875.tif 000005
【図４】
2004348875.tif 000006
【図５】
2004348875.tif 000007
【図６】
2004348875.tif 000008
【図７】
2004348875.tif 000009
【図８】
2004348875.tif 000010
【図９】
2004348875.tif 000011
【図１０】
2004348875.tif 000012